(57)【要約】【課題】ハンドセット通話からハンズフリー通話に的確なタイミングで切替えることを可能とする。【解決手段】携帯電話機１と他の携帯電話機２１とが電話網２２を通じた通話をハンドセット通話により行っているときであって、携帯電話機１とハンズフリー装置９との間でブルートゥースの通信規格に準拠した近距離無線通信を可能であるときに、例えば携帯電話機１において所定のキーが操作されると、当該通話をハンズフリー装置９を用いるハンズフリー通話に切替えて行う。携帯電話機１を使用する人が車室外であれば、所定のキーを操作しないことによって、ハンドセット通話からハンズフリー通話に切替わってしまうことを未然に回避することでき、その一方で、携帯電話機１を使用する人が車室内であれば、所定のキーを操作することによって、ハンドセット通話からハンズフリー通話に切替えることができる。【選択図】図１
2008295110.tif 000002
【特許請求の範囲】
【請求項１】
送話音声を入力する携帯側送話音声入力手段と、受話音声を出力する携帯側受話音声出力手段と、他の電話機との間で電話通信を行う電話通信手段とを備えた携帯電話機と、
車室内に設けられ、送話音声を入力する車内側送話音声入力手段と、受話音声を出力する車内側受話音声出力手段と、ディスプレイを備えたハンズフリー装置とを具備したハンズフリー通話システムに用いられる前記ハンズフリー装置であって、
前記ディスプレイは、前記車室内に配置されたナビゲーション装置に用いられるものであり、
前記携帯電話機との間で近距離無線通信を行う近距離無線通信手段を有し、
前記携帯側送話音声入力手段が入力した送話音声を前記電話通信手段から他の電話機に送信させると共に、他の電話機から前記電話通信手段が受信した受話音声を前記携帯側受話音声出力手段から出力させる通話処理を行っており、
この通話処理中において、前記近距離無線通信手段が前記携帯電話機との間で近距離無線通信を可能でハンズフリー通話が可能であるときに、前記ディスプレイに、車内でのハンズフリー通話に切り替え可能の旨の表示を行い、前記携帯電話機での所定操作により前記携帯電話機からハンズフリー通話に切り替えるコマンドを近距離無線通信にて受信した場合、前記車内側送話音声入力手段が入力した送話音声を、前記近距離無線通信手段を介して前記電話通信手段から他の電話機に送信させると共に、他の電話機から前記電話通信手段が受信した受話音声を、前記近距離無線通信手段を介して前記車内側受話音声出力手段から出力させる車内通話処理に切替可能な制御手段とを備えたことを特徴とするハンズフリー装置。
【請求項２】
送話音声を入力する携帯側送話音声入力手段と、受話音声を出力する携帯側受話音声出力手段と、他の電話機との間で電話通信を行う電話通信手段とを備えた携帯電話機と、
車室内に設けられ、送話音声を入力する車内側送話音声入力手段と、受話音声を出力する車内側受話音声出力手段と、ディスプレイを備えたハンズフリー装置とを具備したハンズフリー通話システムに用いられる前記ハンズフリー装置であって、
前記ディスプレイは、前記車室内に配置されたナビゲーション装置に用いられるものであり、
前記携帯電話機との間で近距離無線通信を行う近距離無線通信手段を有し、
前記携帯側送話音声入力手段が入力した送話音声を前記電話通信手段から他の電話機に送信させると共に、他の電話機から前記電話通信手段が受信した受話音声を前記携帯側受話音声出力手段から出力させる通話処理を行っており、
この通話処理中において、前記近距離無線通信手段が前記携帯電話機との間で近距離無線通信を可能でハンズフリー通話が可能であるときに、前記ディスプレイに、車内でのハンズフリー通話に切り替えるための表示を行い、前記携帯電話機での所定操作により前記携帯電話機からハンズフリー通話に切り替えるコマンドを近距離無線通信にて受信した場合、前記車内側送話音声入力手段が入力した送話音声を、前記近距離無線通信手段を介して前記電話通信手段から他の電話機に送信させると共に、他の電話機から前記電話通信手段が受信した受話音声を、前記近距離無線通信手段を介して前記車内側受話音声出力手段から出力させる車内通話処理に切替可能な制御手段とを備えたことを特徴とするハンズフリー装置。
【請求項３】
送話音声を入力する携帯側送話音声入力手段と、受話音声を出力する携帯側受話音声出力手段と、他の電話機との間で電話通信を行う電話通信手段とを備えた携帯電話機と、
車室内に設けられ、送話音声を入力する車内側送話音声入力手段と、受話音声を出力する車内側受話音声出力手段と、ディスプレイを備えたハンズフリー装置とを具備したハンズフリー通話システムに用いられる前記ハンズフリー装置であって、
前記ディスプレイは、前記車室内に配置されたナビゲーション装置に用いられるものであり、
前記携帯電話機との間で近距離無線通信を行う近距離無線通信手段を有し、前記近距離無線通信手段は、携帯電話機が車外にあっても近距離無線通信が可能な通信圏内を有し、
前記携帯側送話音声入力手段が入力した送話音声を前記電話通信手段から他の電話機に送信させると共に、他の電話機から前記電話通信手段が受信した受話音声を前記携帯側受話音声出力手段から出力させる通話処理を行っており、この通話処理中において、前記近距離無線通信手段が前記携帯電話機との間で近距離無線通信を可能でハンズフリー通話が可能であるときに、前記ディスプレイに、車内でのハンズフリー通話に切り替え可能の旨の表示を行い、前記携帯電話機での所定操作により前記携帯電話機からハンズフリー通話に切り替えるコマンドを近距離無線通信にて受信した場合、前記車内側送話音声入力手段が入力した送話音声を、前記近距離無線通信手段を介して前記電話通信手段から他の電話機に送信させると共に、他の電話機から前記電話通信手段が受信した受話音声を、前記近距離無線通信手段を介して前記車内側受話音声出力手段から出力させる車内通話処理に切替可能な制御手段とを備えたことを特徴とするハンズフリー装置。
【請求項４】
送話音声を入力する携帯側送話音声入力手段と、受話音声を出力する携帯側受話音声出力手段と、他の電話機との間で電話通信を行う電話通信手段とを備えた携帯電話機と、
車室内に設けられ、送話音声を入力する車内側送話音声入力手段と、受話音声を出力する車内側受話音声出力手段と、ディスプレイを備えたハンズフリー装置とを具備したハンズフリー通話システムに用いられる前記ハンズフリー装置であって、
前記ディスプレイは、前記車室内に配置されたナビゲーション装置に用いられるものであり、
前記携帯電話機との間で近距離無線通信を行う近距離無線通信手段を有し、前記近距離無線通信手段は、携帯電話機が車外にあっても近距離無線通信が可能な通信圏内を有し、
前記携帯側送話音声入力手段が入力した送話音声を前記電話通信手段から他の電話機に送信させると共に、他の電話機から前記電話通信手段が受信した受話音声を前記携帯側受話音声出力手段から出力させる通話処理を行っており、この通話処理中において、前記近距離無線通信手段が前記携帯電話機との間で近距離無線通信を可能でハンズフリー通話が可能であるときに、前記ディスプレイに、車内でのハンズフリー通話に切り替えるための表示を行い、前記携帯電話機での所定操作により前記携帯電話機からハンズフリー通話に切り替えるコマンドを近距離無線通信にて受信した場合、前記車内側送話音声入力手段が入力した送話音声を、前記近距離無線通信手段を介して前記電話通信手段から他の電話機に送信させると共に、他の電話機から前記電話通信手段が受信した受話音声を、前記近距離無線通信手段を介して前記車内側受話音声出力手段から出力させる車内通話処理に切替可能な制御手段とを備えたことを特徴とするハンズフリー装置。
【請求項５】
送話音声を入力する携帯側送話音声入力手段と、受話音声を出力する携帯側受話音声出力手段と、他の電話機との間で電話通信を行う電話通信手段とを備えた携帯電話機と、
車室内に設けられ、送話音声を入力する車内側送話音声入力手段と、受話音声を出力する車内側受話音声出力手段と、ディスプレイを備えたハンズフリー装置とを具備したハンズフリー通話システムに用いられる前記ハンズフリー装置であって、
前記ディスプレイは、前記車室内に配置されたナビゲーション装置に用いられるものであり、
前記携帯電話機との間で近距離無線通信を行う近距離無線通信手段を有し、
前記携帯側送話音声入力手段が入力した送話音声を前記電話通信手段から他の電話機に送信させると共に、他の電話機から前記電話通信手段が受信した受話音声を前記携帯側受話音声出力手段から出力させる通話処理を行っており、この通話処理中において、前記近距離無線通信手段が前記携帯電話機との間で近距離無線通信が不能から前記通信可能となったと判断したときに、前記ディスプレイに、車内でのハンズフリー通話に切り替え可能の旨の表示を行い、前記携帯電話機での所定操作により前記携帯電話機からハンズフリー通話に切り替えるコマンドを近距離無線通信にて受信した場合、前記車内側送話音声入力手段が入力した送話音声を、前記近距離無線通信手段を介して前記電話通信手段から他の電話機に送信させると共に、他の電話機から前記電話通信手段が受信した受話音声を、前記近距離無線通信手段を介して前記車内側受話音声出力手段から出力させる車内通話処理に切替可能な制御手段とを備えたことを特徴とするハンズフリー装置。
【請求項６】
送話音声を入力する携帯側送話音声入力手段と、受話音声を出力する携帯側受話音声出力手段と、他の電話機との間で電話通信を行う電話通信手段とを備えた携帯電話機と、
車室内に設けられ、送話音声を入力する車内側送話音声入力手段と、受話音声を出力する車内側受話音声出力手段と、ディスプレイを備えたハンズフリー装置とを具備したハンズフリー通話システムに用いられる前記ハンズフリー装置であって、
前記ディスプレイは、前記車室内に配置されたナビゲーション装置に用いられるものであり、
前記携帯電話機との間で近距離無線通信を行う近距離無線通信手段を有し、
前記携帯側送話音声入力手段が入力した送話音声を前記電話通信手段から他の電話機に送信させると共に、他の電話機から前記電話通信手段が受信した受話音声を前記携帯側受話音声出力手段から出力させる通話処理を行っており、この通話処理中において、前記近距離無線通信手段が前記携帯電話機との間で近距離無線通信が不能から前記通信可能となったと判断したときに、前記ディスプレイに、車内でのハンズフリー通話に切り替えるための表示を行い、前記携帯電話機での所定操作により前記携帯電話機からハンズフリー通話に切り替えるコマンドを近距離無線通信にて受信した場合、前記車内側送話音声入力手段が入力した送話音声を、前記近距離無線通信手段を介して前記電話通信手段から他の電話機に送信させると共に、他の電話機から前記電話通信手段が受信した受話音声を、前記近距離無線通信手段を介して前記車内側受話音声出力手段から出力させる車内通話処理に切替可能な制御手段とを備えたことを特徴とするハンズフリー装置。
【請求項７】
送話音声を入力する携帯側送話音声入力手段と、受話音声を出力する携帯側受話音声出力手段と、他の電話機との間で電話通信を行う電話通信手段とを備えた携帯電話機と、
車室内に設けられ、送話音声を入力する車内側送話音声入力手段と、受話音声を出力する車内側受話音声出力手段と、ディスプレイを備えたハンズフリー装置とを具備したハンズフリー通話システムに用いられる前記ハンズフリー装置であって、
前記ディスプレイは、前記車室内に配置されたナビゲーション装置に用いられるものであり、
前記携帯電話機との間で近距離無線通信を行う近距離無線通信手段を有し、前記近距離無線通信手段は、携帯電話機が車外にあっても近距離無線通信が可能な通信圏内を有し、
前記携帯側送話音声入力手段が入力した送話音声を前記電話通信手段から他の電話機に送信させると共に、他の電話機から前記電話通信手段が受信した受話音声を前記携帯側受話音声出力手段から出力させる通話処理を行っており、この通話処理中において、前記近距離無線通信手段が前記携帯電話機との間で近距離無線通信が不能から前記通信圏内となったと判断したときに、前記ディスプレイに、車内でのハンズフリー通話に切り替え可能の旨の表示を行い、前記携帯電話機での所定操作により前記携帯電話機からハンズフリー通話に切り替えるコマンドを近距離無線通信にて受信した場合、前記車内側送話音声入力手段が入力した送話音声を、前記近距離無線通信手段を介して前記電話通信手段から他の電話機に送信させると共に、他の電話機から前記電話通信手段が受信した受話音声を、前記近距離無線通信手段を介して前記車内側受話音声出力手段から出力させる車内通話処理に切替可能な制御手段とを備えたことを特徴とするハンズフリー装置。
【請求項８】
送話音声を入力する携帯側送話音声入力手段と、受話音声を出力する携帯側受話音声出力手段と、他の電話機との間で電話通信を行う電話通信手段とを備えた携帯電話機と、
車室内に設けられ、送話音声を入力する車内側送話音声入力手段と、受話音声を出力する車内側受話音声出力手段と、ディスプレイを備えたハンズフリー装置とを具備したハンズフリー通話システムに用いられる前記ハンズフリー装置であって、
前記ディスプレイは、前記車室内に配置されたナビゲーション装置に用いられるものであり、
前記携帯電話機との間で近距離無線通信を行う近距離無線通信手段を有し、前記近距離無線通信手段は、携帯電話機が車外にあっても近距離無線通信が可能な通信圏内を有し、
前記携帯側送話音声入力手段が入力した送話音声を前記電話通信手段から他の電話機に送信させると共に、他の電話機から前記電話通信手段が受信した受話音声を前記携帯側受話音声出力手段から出力させる通話処理を行っており、この通話処理中において、前記近距離無線通信手段が前記携帯電話機との間で近距離無線通信が不能から前記通信圏内となったと判断したときに、前記ディスプレイに、車内でのハンズフリー通話に切り替えるための表示を行い、前記携帯電話機での所定操作により前記携帯電話機からハンズフリー通話に切り替えるコマンドを近距離無線通信にて受信した場合、前記車内側送話音声入力手段が入力した送話音声を、前記近距離無線通信手段を介して前記電話通信手段から他の電話機に送信させると共に、他の電話機から前記電話通信手段が受信した受話音声を、前記近距離無線通信手段を介して前記車内側受話音声出力手段から出力させる車内通話処理に切替可能な制御手段とを備えたことを特徴とするハンズフリー装置。
【請求項９】
前記近距離無線通信手段が前記携帯電話機との間で近距離無線通信を可能でハンズフリー通話が可能であることを判断する手段を有し、この手段によりハンズフリー通話が可能と判断された場合に、前記ディスプレイに、車内でのハンズフリー通話に切り替えるための表示を行うことを特徴とする請求項２または４記載のハンズフリー装置。
【請求項１０】
前記近距離無線通信手段が前記携帯電話機との間で近距離無線通信を可能でハンズフリー通話が可能であることを判断する手段を有し、この判断手段よりハンズフリー通話が可能と判断された場合に、前記ディスプレイに、車内でのハンズフリー通話に切り替え可能の旨の表示を行うことを特徴とする請求項１または３記載のハンズフリー装置。
【発明の詳細な説明】
【技術分野】
【０００１】
本発明は、送話音声を入力する送話音声入力手段と、受話音声を出力する受話音声出力手段と、他の電話機との間で電話通信を行う電話通信手段とを備えた携帯電話機と、車室内に設置され、送話音声を入力する送話音声入力手段と、受話音声を出力する受話音声出力手段とを備えたハンズフリー装置とを具備した通話システムに関する。
【背景技術】
【０００２】
従来より、車室内において、携帯電話機をハンズフリー装置に装着することによって、他の電話機と携帯電話機との間の通話をハンズフリー装置を用いるハンズフリー通話により行うことが可能となる通話システムが提供されている。また、近年では、携帯電話機およびハンズフリー装置の双方の側に例えばブルートゥースの通信規格に準拠した近距離無線通信を行うための近距離無線通信部を備えることによって、携帯電話機がハンズフリー装置に接近したときに両者の間で無線通信回線を確立し、携帯電話機をハンズフリー装置に装着することなく、他の電話機と携帯電話機との間の通話をハンズフリー通話により行うことが可能となる通話システムも考えられている。
【０００３】
ところで、ブルートゥースの通信規格に準拠した近距離無線通信では、両者の機器がブルートゥースの通信圏内となる位置関係にあるときに、両者の機器の間で無線通信回線を自動的に確立するように構成するのが一般的であり、これによって、一方の機器が他方の機器に接近することのみによって、データ通信を速やかに開始することが可能となる。
【発明の開示】
【発明が解決しようとする課題】
【０００４】
しかしながら、携帯電話機とハンズフリー装置との間で、上記したような両者の機器がブルートゥースの通信圏内であるときに無線通信回線を自動的に確立するような構成を適用すると、次に示すような問題がある。すなわち、上記したような構成を適用した場合、ブルートゥースの通信圏内が比較的広いような状況では、携帯電話機を使用する人が他の携帯電話機を使用する人との間の通話をハンドセット通話により行っているときに、携帯電話機を使用する人が自動車（ハンズフリー装置）に接近すると、携帯電話機を使用する人が車室外であっても、その人の意図に反して、ハンドセット通話からハンズフリー通話に自動的に切替わってしまい、他の電話機を使用する人との間で会話ができなくなってしまうという場合がある。
【０００５】
本発明は、上記した事情に鑑みてなされたものであり、その目的は、ハンドセット通話からハンズフリー通話に的確なタイミングで切替えることを可能とする携帯電話機およびハンズフリー装置を利用した通話システムを提供することにある。
【課題を解決するための手段】
【０００６】
請求項１記載の発明では、
送話音声を入力する携帯側送話音声入力手段と、受話音声を出力する携帯側受話音声出力手段と、他の電話機との間で電話通信を行う電話通信手段とを備えた携帯電話機と、
車室内に設けられ、送話音声を入力する車内側送話音声入力手段と、受話音声を出力する車内側受話音声出力手段と、ディスプレイを備えたハンズフリー装置とを具備したハンズフリー通話システムに用いられる前記ハンズフリー装置であって、
前記ディスプレイは、前記車室内に配置されたナビゲーション装置に用いられるものであり、
前記携帯電話機との間で近距離無線通信を行う近距離無線通信手段を有し、
前記携帯側送話音声入力手段が入力した送話音声を前記電話通信手段から他の電話機に送信させると共に、他の電話機から前記電話通信手段が受信した受話音声を前記携帯側受話音声出力手段から出力させる通話処理を行っており、
この通話処理中において、前記近距離無線通信手段が前記携帯電話機との間で近距離無線通信を可能でハンズフリー通話が可能であるときに、前記ディスプレイに、車内でのハンズフリー通話に切り替え可能の旨の表示を行い、前記携帯電話機での所定操作により前記携帯電話機からハンズフリー通話に切り替えるコマンドを近距離無線通信にて受信した場合、前記車内側送話音声入力手段が入力した送話音声を、前記近距離無線通信手段を介して前記電話通信手段から他の電話機に送信させると共に、他の電話機から前記電話通信手段が受信した受話音声を、前記近距離無線通信手段を介して前記車内側受話音声出力手段から出力させる車内通話処理に切替可能な制御手段とを備えたことを特徴としている。
【０００７】
請求項２記載の発明では、
送話音声を入力する携帯側送話音声入力手段と、受話音声を出力する携帯側受話音声出力手段と、他の電話機との間で電話通信を行う電話通信手段とを備えた携帯電話機と、
車室内に設けられ、送話音声を入力する車内側送話音声入力手段と、受話音声を出力する車内側受話音声出力手段と、ディスプレイを備えたハンズフリー装置とを具備したハンズフリー通話システムに用いられる前記ハンズフリー装置であって、
前記ディスプレイは、前記車室内に配置されたナビゲーション装置に用いられるものであり、
前記携帯電話機との間で近距離無線通信を行う近距離無線通信手段を有し、
前記携帯側送話音声入力手段が入力した送話音声を前記電話通信手段から他の電話機に送信させると共に、他の電話機から前記電話通信手段が受信した受話音声を前記携帯側受話音声出力手段から出力させる通話処理を行っており、
この通話処理中において、前記近距離無線通信手段が前記携帯電話機との間で近距離無線通信を可能でハンズフリー通話が可能であるときに、前記ディスプレイに、車内でのハンズフリー通話に切り替えるための表示を行い、前記携帯電話機での所定操作により前記携帯電話機からハンズフリー通話に切り替えるコマンドを近距離無線通信にて受信した場合、前記車内側送話音声入力手段が入力した送話音声を、前記近距離無線通信手段を介して前記電話通信手段から他の電話機に送信させると共に、他の電話機から前記電話通信手段が受信した受話音声を、前記近距離無線通信手段を介して前記車内側受話音声出力手段から出力させる車内通話処理に切替可能な制御手段とを備えたことを特徴としている。
【０００８】
また、請求項３記載の発明では、
送話音声を入力する携帯側送話音声入力手段と、受話音声を出力する携帯側受話音声出力手段と、他の電話機との間で電話通信を行う電話通信手段とを備えた携帯電話機と、
車室内に設けられ、送話音声を入力する車内側送話音声入力手段と、受話音声を出力する車内側受話音声出力手段と、ディスプレイを備えたハンズフリー装置とを具備したハンズフリー通話システムに用いられる前記ハンズフリー装置であって、
前記ディスプレイは、前記車室内に配置されたナビゲーション装置に用いられるものであり、
前記携帯電話機との間で近距離無線通信を行う近距離無線通信手段を有し、前記近距離無線通信手段は、携帯電話機が車外にあっても近距離無線通信が可能な通信圏内を有し、
前記携帯側送話音声入力手段が入力した送話音声を前記電話通信手段から他の電話機に送信させると共に、他の電話機から前記電話通信手段が受信した受話音声を前記携帯側受話音声出力手段から出力させる通話処理を行っており、この通話処理中において、前記近距離無線通信手段が前記携帯電話機との間で近距離無線通信を可能でハンズフリー通話が可能であるときに、前記ディスプレイに、車内でのハンズフリー通話に切り替え可能の旨の表示を行い、前記携帯電話機での所定操作により前記携帯電話機からハンズフリー通話に切り替えるコマンドを近距離無線通信にて受信した場合、前記車内側送話音声入力手段が入力した送話音声を、前記近距離無線通信手段を介して前記電話通信手段から他の電話機に送信させると共に、他の電話機から前記電話通信手段が受信した受話音声を、前記近距離無線通信手段を介して前記車内側受話音声出力手段から出力させる車内通話処理に切替可能な制御手段とを備えたことを特徴としている。
【０００９】
請求項４記載の発明では、
送話音声を入力する携帯側送話音声入力手段と、受話音声を出力する携帯側受話音声出力手段と、他の電話機との間で電話通信を行う電話通信手段とを備えた携帯電話機と、
車室内に設けられ、送話音声を入力する車内側送話音声入力手段と、受話音声を出力する車内側受話音声出力手段と、ディスプレイを備えたハンズフリー装置とを具備したハンズフリー通話システムに用いられる前記ハンズフリー装置であって、
前記ディスプレイは、前記車室内に配置されたナビゲーション装置に用いられるものであり、
前記携帯電話機との間で近距離無線通信を行う近距離無線通信手段を有し、前記近距離無線通信手段は、携帯電話機が車外にあっても近距離無線通信が可能な通信圏内を有し、
前記携帯側送話音声入力手段が入力した送話音声を前記電話通信手段から他の電話機に送信させると共に、他の電話機から前記電話通信手段が受信した受話音声を前記携帯側受話音声出力手段から出力させる通話処理を行っており、この通話処理中において、前記近距離無線通信手段が前記携帯電話機との間で近距離無線通信を可能でハンズフリー通話が可能であるときに、前記ディスプレイに、車内でのハンズフリー通話に切り替えるための表示を行い、前記携帯電話機での所定操作により前記携帯電話機からハンズフリー通話に切り替えるコマンドを近距離無線通信にて受信した場合、前記車内側送話音声入力手段が入力した送話音声を、前記近距離無線通信手段を介して前記電話通信手段から他の電話機に送信させると共に、他の電話機から前記電話通信手段が受信した受話音声を、前記近距離無線通信手段を介して前記車内側受話音声出力手段から出力させる車内通話処理に切替可能な制御手段とを備えたことを特徴としている。
【００１０】
請求項５記載の発明では、
送話音声を入力する携帯側送話音声入力手段と、受話音声を出力する携帯側受話音声出力手段と、他の電話機との間で電話通信を行う電話通信手段とを備えた携帯電話機と、
車室内に設けられ、送話音声を入力する車内側送話音声入力手段と、受話音声を出力する車内側受話音声出力手段と、ディスプレイを備えたハンズフリー装置とを具備したハンズフリー通話システムに用いられる前記ハンズフリー装置であって、
前記ディスプレイは、前記車室内に配置されたナビゲーション装置に用いられるものであり、
前記携帯電話機との間で近距離無線通信を行う近距離無線通信手段を有し、
前記携帯側送話音声入力手段が入力した送話音声を前記電話通信手段から他の電話機に送信させると共に、他の電話機から前記電話通信手段が受信した受話音声を前記携帯側受話音声出力手段から出力させる通話処理を行っており、この通話処理中において、前記近距離無線通信手段が前記携帯電話機との間で近距離無線通信が不能から前記通信可能となったと判断したときに、前記ディスプレイに、車内でのハンズフリー通話に切り替え可能の旨の表示を行い、前記携帯電話機での所定操作により前記携帯電話機からハンズフリー通話に切り替えるコマンドを近距離無線通信にて受信した場合、前記車内側送話音声入力手段が入力した送話音声を、前記近距離無線通信手段を介して前記電話通信手段から他の電話機に送信させると共に、他の電話機から前記電話通信手段が受信した受話音声を、前記近距離無線通信手段を介して前記車内側受話音声出力手段から出力させる車内通話処理に切替可能な制御手段とを備えたことを特徴としている。
【００１１】
請求項６記載の発明では、
送話音声を入力する携帯側送話音声入力手段と、受話音声を出力する携帯側受話音声出力手段と、他の電話機との間で電話通信を行う電話通信手段とを備えた携帯電話機と、
車室内に設けられ、送話音声を入力する車内側送話音声入力手段と、受話音声を出力する車内側受話音声出力手段と、ディスプレイを備えたハンズフリー装置とを具備したハンズフリー通話システムに用いられる前記ハンズフリー装置であって、
前記ディスプレイは、前記車室内に配置されたナビゲーション装置に用いられるものであり、
前記携帯電話機との間で近距離無線通信を行う近距離無線通信手段を有し、
前記携帯側送話音声入力手段が入力した送話音声を前記電話通信手段から他の電話機に送信させると共に、他の電話機から前記電話通信手段が受信した受話音声を前記携帯側受話音声出力手段から出力させる通話処理を行っており、この通話処理中において、前記近距離無線通信手段が前記携帯電話機との間で近距離無線通信が不能から前記通信可能となったと判断したときに、前記ディスプレイに、車内でのハンズフリー通話に切り替えるための表示を行い、前記携帯電話機での所定操作により前記携帯電話機からハンズフリー通話に切り替えるコマンドを近距離無線通信にて受信した場合、前記車内側送話音声入力手段が入力した送話音声を、前記近距離無線通信手段を介して前記電話通信手段から他の電話機に送信させると共に、他の電話機から前記電話通信手段が受信した受話音声を、前記近距離無線通信手段を介して前記車内側受話音声出力手段から出力させる車内通話処理に切替可能な制御手段とを備えたことを特徴としている。
【００１２】
請求項７記載の発明では、
送話音声を入力する携帯側送話音声入力手段と、受話音声を出力する携帯側受話音声出力手段と、他の電話機との間で電話通信を行う電話通信手段とを備えた携帯電話機と、
車室内に設けられ、送話音声を入力する車内側送話音声入力手段と、受話音声を出力する車内側受話音声出力手段と、ディスプレイを備えたハンズフリー装置とを具備したハンズフリー通話システムに用いられる前記ハンズフリー装置であって、
前記ディスプレイは、前記車室内に配置されたナビゲーション装置に用いられるものであり、
前記携帯電話機との間で近距離無線通信を行う近距離無線通信手段を有し、前記近距離無線通信手段は、携帯電話機が車外にあっても近距離無線通信が可能な通信圏内を有し、
前記携帯側送話音声入力手段が入力した送話音声を前記電話通信手段から他の電話機に送信させると共に、他の電話機から前記電話通信手段が受信した受話音声を前記携帯側受話音声出力手段から出力させる通話処理を行っており、この通話処理中において、前記近距離無線通信手段が前記携帯電話機との間で近距離無線通信が不能から前記通信圏内となったと判断したときに、前記ディスプレイに、車内でのハンズフリー通話に切り替え可能の旨の表示を行い、前記携帯電話機での所定操作により前記携帯電話機からハンズフリー通話に切り替えるコマンドを近距離無線通信にて受信した場合、前記車内側送話音声入力手段が入力した送話音声を、前記近距離無線通信手段を介して前記電話通信手段から他の電話機に送信させると共に、他の電話機から前記電話通信手段が受信した受話音声を、前記近距離無線通信手段を介して前記車内側受話音声出力手段から出力させる車内通話処理に切替可能な制御手段とを備えたことを特徴としている。
【００１３】
請求項８記載の発明では、
送話音声を入力する携帯側送話音声入力手段と、受話音声を出力する携帯側受話音声出力手段と、他の電話機との間で電話通信を行う電話通信手段とを備えた携帯電話機と、
車室内に設けられ、送話音声を入力する車内側送話音声入力手段と、受話音声を出力する車内側受話音声出力手段と、ディスプレイを備えたハンズフリー装置とを具備したハンズフリー通話システムに用いられる前記ハンズフリー装置であって、
前記ディスプレイは、前記車室内に配置されたナビゲーション装置に用いられるものであり、
前記携帯電話機との間で近距離無線通信を行う近距離無線通信手段を有し、前記近距離無線通信手段は、携帯電話機が車外にあっても近距離無線通信が可能な通信圏内を有し、
前記携帯側送話音声入力手段が入力した送話音声を前記電話通信手段から他の電話機に送信させると共に、他の電話機から前記電話通信手段が受信した受話音声を前記携帯側受話音声出力手段から出力させる通話処理を行っており、この通話処理中において、前記近距離無線通信手段が前記携帯電話機との間で近距離無線通信が不能から前記通信圏内となったと判断したときに、前記ディスプレイに、車内でのハンズフリー通話に切り替えるための表示を行い、前記携帯電話機での所定操作により前記携帯電話機からハンズフリー通話に切り替えるコマンドを近距離無線通信にて受信した場合、前記車内側送話音声入力手段が入力した送話音声を、前記近距離無線通信手段を介して前記電話通信手段から他の電話機に送信させると共に、他の電話機から前記電話通信手段が受信した受話音声を、前記近距離無線通信手段を介して前記車内側受話音声出力手段から出力させる車内通話処理に切替可能な制御手段とを備えたことを特徴としている。
【００１４】
請求項９記載の発明では、請求項２または４記載の発明において、
前記近距離無線通信手段が前記携帯電話機との間で近距離無線通信を可能でハンズフリー通話が可能であることを判断する手段を有し、この手段によりハンズフリー通話が可能と判断された場合に、前記ディスプレイに、車内でのハンズフリー通話に切り替えるための表示を行うことを特徴としている。
【００１５】
請求項１０記載の発明では、請求項１または３記載の発明において、
前記近距離無線通信手段が前記携帯電話機との間で近距離無線通信を可能でハンズフリー通話が可能であることを判断する手段を有し、この判断手段よりハンズフリー通話が可能と判断された場合に、前記ディスプレイに、車内でのハンズフリー通話に切り替え可能の旨の表示を行うことを特徴としている。
【発明の効果】
【００１６】
これにより、請求項１〜１０記載の発明では、他の電話機と携帯電話機との間の通話をハンドセット通話により行なっているときに、他の電話機と携帯電話機との間の通話をハンズフリー装置を用いるハンズフリー通話により行うことができる状況において、ナビゲーション装置のディスプレイでの表示によって、携帯電話機の操作手段を操作することで、ハンドセット通話からハンズフリー通話に的確なタイミングで切替えることが可能となる。
【００１７】
また、請求項３、４、７、８では、さらに、携帯電話機を使用する人が車室外であれば、携帯電話機の操作手段を操作させないことによって、ハンドセット通話からハンズフリー通話に切り替わってしまうことを未然に回避することができ、その一方で、携帯電話機を使用する人が車室内であれば、携帯電話機の操作手段を操作により、ハンドセット通話からハンズフリー通話に切替えることができる。
【発明を実施するための最良の形態】
【００１８】
（第１の実施の形態）
以下、本発明の第１実施例について、図１ないし図４を参照して説明する。まず、図１は、通話システムの全体の構成を概略的に示している。携帯電話機１において、制御部２（本発明でいう制御手段）は、電話通信に係る処理を行う電話通信部３（本発明でいう電話通信手段）、通話を開始するための「通話開始」キー、通話を終了するための「通話終了」キー、電話番号を入力するための「０」〜「９」の「数字」キーなどの多数のキーを配設してなるキーパッド４（本発明でいう操作手段）、発信者電話番号などを表示するディスプレイ５、送話音声を入力するマイクロホン６（本発明でいう携帯電話機側の送話音声入力手段）および受話音声を出力するスピーカ７（本発明でいう携帯電話機側の受話音声出力手段）を接続する音声切替部８ならびに後述するハンズフリー装置９との間でブルートゥースの通信規格に準拠した近距離無線通信を行うブルートゥース通信部１０（本発明でいう近距離無線通信手段）を接続している。
【００１９】
一方、ハンズフリー装置９は、自動車の車室内に設置されており、ハンズフリー装置９において、制御部１１（本発明でいう制御手段）は、通話を開始するための「通話開始」キー、通話を終了するための「通話終了」キー、通話を保留するための「保留」キーなどのキーを配設してなる操作スイッチ１２（本発明でいう操作手段）、携帯電話機１がクレードル１３上に載置されたか否かを検出する位置検出部１４（本発明でいう位置検出手段）、車両から入力する車両情報を認識する車両情報認識部１５（本発明でいう車両情報認識手段）、音声を認識する音声認識部１６（本発明でいう音声認識手段）、送話音声を入力するマイクロホン１７（本発明でいうハンズフリー装置側の送話音声入力手段）および受話音声を出力するスピーカ１８（本発明でいうハンズフリー装置側の受話音声出力手段）を接続する音声切替部１９ならびに上記した携帯電話機１との間でブルートゥースの通信規格に準拠した近距離無線通信を行うブルートゥース通信部２０（本発明でいう近距離無線通信手段）を接続している。
【００２０】
この構成においては、詳しくは後述するように、携帯電話機１は、ハンドセット通話による通話処理（本発明でいう第１の通話処理）およびハンズフリー通話による通話処理（本発明でいう第２の通話処理）のうちのいずれかの通話処理を選択し、選択したいずれかの通話処理を行うことが可能となる。
【００２１】
ここで、ハンドセット通話による通話処理とは、携帯電話機１が他の携帯電話機２１（本発明でいう他の電話機）との間の電話網２２を通じて行う通話をハンズフリー装置９を用いることなく行う処理である。また、ハンズフリー通話による通話処理とは、携帯電話機１が他の携帯電話機２１との間の電話網２２を通じて行う通話をハンズフリー装置９を用いて行う処理である。
【００２２】
次に、上記した構成の作用について、図２ないし図４も参照して説明する。ここで、図２は、携帯電話機１が行う処理およびハンズフリー装置９が行う処理をフローチャートとして示している。また、ここでは、携帯電話機１において、制御部２がハンドセット通話による通話処理を行っていることを前提として説明する。
【００２３】
携帯電話機１において、制御部２は、ハンドセット通話による通話処理を行っている状態では、ハンズフリー装置９との間でブルートゥースの通信規格に準拠した近距離無線通信を行うことが可能であるか否か、つまり、ブルートゥースの通信圏内であるか否かを監視している（ステップＳ１）。
【００２４】
ここで、制御部２は、携帯電話機１がハンズフリー装置９に接近した位置にあって、ブルートゥースの通信圏内であれば、ステップＳ１において「ＹＥＳ」と判定し、表示指令をディスプレイ５に出力し、ブルートゥースの通信圏内であることに応じてハンズフリー装置９を用いるハンズフリー通話を行うことが可能であることを報知すべく例えば図３に示すように「ハンズフリー通話できます  切替えますか？」という表示メッセージをディスプレイ５に表示させる（ステップＳ２）。
【００２５】
そして、制御部２は、ハンドセット通話からハンズフリー通話に切替える切替操作が行われたか否かを監視し（ステップＳ３）、ハンズフリー装置９からハンズフリー切替通知コマンドを受信したか否かを監視する（ステップＳ４）。
【００２６】
ここで、制御部２は、携帯電話機１を使用する人がハンドセット通話からハンズフリー通話に切替えるための切替操作を行ったことを検出すると（例えば図３では、「１」キーを操作したことを検出すると）、ステップＳ３において「ＹＥＳ」と判定し、ハンズフリー通話切替指令を音声切替部８に出力し、電話通信部３とブルートゥース通信部１０との間の音声パスを開通させ、また、ハンズフリー切替通知指令をブルートゥース通信部１０に出力し、ブルートゥース通信部１０からハンズフリー切替通知コマンドをハンズフリー装置９のブルートゥース通信部２０に送信させ（ステップＳ５）、ハンズフリー通話による通話処理を行う（ステップＳ６）。
【００２７】
また、制御部２は、ハンズフリー装置９からハンズフリー切替通知コマンドを受信したことを検出すると、ステップＳ４において「ＹＥＳ」と判定し、この場合にも、ハンズフリー通話切替指令を音声切替部８に出力し、電話通信部３とブルートゥース通信部１０との間の音声パスを開通させ、ハンズフリー通話による通話処理を行う（ステップＳ６）。
【００２８】
ここで、ハンズフリー通話による通話処理とは、ハンズフリー装置９の送話音声入力手段６が入力した送話音声を、近距離無線通信にて携帯電話機１の電話通信手段から他の電話機に送信させると共に、他の電話機から携帯電話機１の電話通信手段３が受信した受話音声を近距離無線通信によりハンズフリー装置９の受話音声出力手段１８から出力させるものである。
【００２９】
一方、ハンズフリー装置９において、制御部１１は、電源が投入されている状態では、携帯電話機１との間でブルートゥースの通信規格に準拠した近距離無線通信を行うことが可能であるか否か、つまり、ブルートゥースの通信圏内であるか否かを監視している（ステップＴ１）。そして、制御部１１は、携帯電話機１がハンズフリー装置９に接近した位置にあって、ブルートゥースの通信圏内であれば、ステップＴ１において「ＹＥＳ」と判定し、携帯電話機１からハンズフリー切替通知コマンドを受信したか否かを監視し（ステップＴ２）、後述するトリガの発生に応じて取得した点数がハンズフリー切替通知コマンドを送信すべき規定点数に到達したか否かを監視する（ステップＴ３）。
【００３０】
ここで、制御部１１は、携帯電話機１からハンズフリー切替通知コマンドを受信したことを検出すると、ステップＴ２において「ＹＥＳ」と判定し、携帯電話機１がハンズフリー通話による通話処理を行っていることを認識し、それに追従して、ハンズフリー通話による通話処理を行う（ステップＴ４）。
【００３１】
また、制御部１１は、以下に示す方法にしたがってトリガの発生に応じて点数を取得し、取得した点数と、ハンズフリー切替通知コマンドを送信すべき規定点数とを比較する。すなわち、制御部１１は、図４に示すように、トリガと点数とを関連させたテーブルを保持しており、いずれかのトリガが発生すると、発生したトリガに対応する点数を取得する。具体的に説明すると、制御部１１は、例えば携帯電話機１を使用する人が乗車し、ハンズフリー装置９の操作スイッチ１２においてハンドセット通話からハンズフリー通話に切替えるための所定のキーを操作したことを検出すると、この場合は、「操作スイッチの操作」に対応する点数が「１０」点であるので、「１０」点を取得する。
【００３２】
また、制御部１１は、例えば携帯電話機１を使用する人が乗車し、携帯電話機１をクレードル１３上に載置したことを位置検出部１４によって検出すると、この場合は、「クレードルスイッチ」に対応する点数が「１０」点であるので、「１０」点を取得する。また、制御部１１は、例えば携帯電話機１を使用する人が乗車して運転し、車速が所定速度（例えば時速１０キロメートル）を越えたことを車両情報認識部１５によって検出すると、この場合は、「車速センサ」に対応する点数が「１０」点であるので、「１０」点を取得する。さらに、制御部１１は、例えば携帯電話機１を使用する人が乗車し、特定の語（例えば「ハ」、「ン」、「ズ」、「フ」、「リ」、「ー」）を発声したことを音声認識部１６によって検出すると、この場合は、「音声認識」に対応する点数が「１０」点であるので、「１０」点を取得する。
【００３３】
そして、制御部１１は、このとき、ハンズフリー切替通知コマンドを送信すべき規定点数を「１０」点に設定していれば、上記したようないずれかのトリガが発生したことに応じて、トリガにより取得した点数がハンズフリー切替通知コマンドを送信すべき規定点数に到達したことを検出し、ステップＴ３において「ＹＥＳ」と判定し、ハンズフリー切替通知指令をブルートゥース通信部２０に出力し、ブルートゥース通信部２０からハンズフリー切替通知コマンドを携帯電話機１のブルートゥース通信部１０に送信させ（ステップＴ５）、ハンズフリー通話による通話処理を行う（ステップＴ４）。
【００３４】
尚、制御部１１は、例えば携帯電話機１を使用する人が運転席に着席し、シートベルトを装着し、サイドブレーキを解除したことを車両情報認識部１５によって検出すると、この場合は、「シートセンサ」に対応する点数が「４」点であり、「シートベルトセンサ」に対応する点数が「４」点であり、「サイドブレーキ」に対応する点数が「４」点であり、これらの合計として「１２」点を取得するので、このような場合にも、トリガにより取得した点数がハンズフリー切替通知コマンドを送信すべき規定点数に到達したことを検出し、ハンズフリー通話による通話処理を行う。
【００３５】
これによって、携帯電話機１を使用する人は、他の携帯電話機２１を使用する人との間の通話をハンズフリー装置９を用いないハンドセット通話からハンズフリー装置９を用いるハンズフリー通話に切替えて行うことができる。
【００３６】
以上に説明したように第１実施例によれば、携帯電話機１と他の携帯電話機２１とが電話網２２を通じた通話をハンドセット通話により行っているときであって、携帯電話機１とハンズフリー装置９との間でブルートゥースの通信規格に準拠した近距離無線通信を可能であるときに、所定条件が成立すると、当該通話をハンズフリー装置９を用いるハンズフリー通話に切替えて行うことを可能に構成した。
【００３７】
したがって、携帯電話機１と他の携帯電話機２１との間の通話をハンドセット通話により行っているときに、両者の間の通話をハンズフリー装置９を用いるハンズフリー通話により行うことができる状況であっても、例えば携帯電話機１を使用する人が車室外であれば、所定条件を成立させないことによって、ハンドセット通話からハンズフリー通話に切替わってしまうことを未然に回避することでき、その一方で、携帯電話機１を使用する人が車室内であれば、所定条件を成立させることによって、ハンドセット通話からハンズフリー通話に切替えることができ、これによって、ハンドセット通話からハンズフリー通話に的確なタイミングで切替えることが可能となる。
【００３８】
この場合、携帯電話機１において、ハンドセット通話からハンズフリー通話に切替えるための切替操作が行われたことを所定条件とするように構成したので、携帯電話機１を使用する人が当該切替操作を行うことによって、ハンドセット通話からハンズフリー通話に的確なタイミングで切替えることが可能となる。また、ハンズフリー装置９において、ハンドセット通話からハンズフリー通話に切替えるための切替操作が行われたこと、携帯電話機１がクレードル１３上に載置されたこと、車速が所定速度（例えば時速１０キロメートル）を越えたこと、携帯電話機１を使用する人が特定の語（例えば「ハ」、「ン」、「ズ」、「フ」、「リ」、「ー」）を発声したことなどを所定条件とするように構成したので、それらのトリガが行われることによっても、ハンドセット通話からハンズフリー通話に的確なタイミングで切替えることが可能となる。
【００３９】
また、この場合、既存の携帯電話機１およびハンズフリー装置９については、ハードウェアの変更を何ら行う必要がなく、ソフトウェアの変更のみを行えば良いことから、簡単に実現することができる。
（第２の実施の形態）
次に、本発明の第２実施例について、図５を参照して説明する。尚、上記した第１実施例と同一部分には同一符号を付して説明を省略し、以下、異なる部分について説明する。上記した第１実施例では、携帯電話機１に、ハンズフリー装置９との間でブルートゥースの通信規格に準拠した近距離無線通信を行うためのブルートゥース通信部１０を一体に搭載すると共に、ハンズフリー装置９に、携帯電話機１との間でブルートゥースの通信規格に準拠した近距離無線通信を行うためのブルートゥース通信部２０を一体に搭載する構成を説明したものであるが、これに対して、この第２実施例では、ブルートゥース通信部を携帯電話機およびハンズフリー装置とは別体に構成したものである。
【００４０】
すなわち、携帯電話機３１側においては、上記した第１実施例で説明したブルートゥース通信部１０と同等の機能を有するブルートゥース通信部３２（本発明でいう近距離無線通信手段）を備えたブルートゥース通信機３３を例えば専用の接続ケーブル（図示せず）を通じて接続し、また、ハンズフリー装置３４側においては、上記した第１実施例で説明したブルートゥース通信部２０と同等の機能を有するブルートゥース通信部３５（本発明でいう近距離無線通信手段）を備えたブルートゥース通信機３６を例えば専用の接続ケーブル（図示せず）を通じて接続することによって、携帯電話機３１とハンズフリー装置３４との間でブルートゥースの通信規格に準拠した近距離無線通信を行うことが可能となる。
【００４１】
以上に説明したように第２実施例によれば、上記した第１実施例と同様の作用効果を得ることができる。そして、この場合は、携帯電話機３１側においては、ブルートゥース通信部３２を携帯電話機３１とは別体に設けるように構成したので、１つのブルートゥース通信機３３を複数の携帯電話機に対して使用することが可能となり、また、ハンズフリー装置３４側においては、ブルートゥース通信部３５をハンズフリー装置３４とは別体に設けるように構成したので、１つのブルートゥース通信機３６を複数のハンズフリー装置に対して使用することが可能となり、使用形態の拡張を図ることができる。
（その他の実施の形態）
本発明は、上記した実施例にのみ限定されるものでなく、次のように変形または拡張することができる。近距離無線通信は、ブルートゥースの通信規格に準拠したものに限らず、他のものであっても良い。
【００４２】
ハンズフリー装置において、トリガの検出として、論理和或いは論理積のいずれかを採用しても良く、つまり、例えば携帯電話機において所定のキーが操作された条件と、携帯電話機がクレードル上に載置された条件との２つの条件のうちのいずれか一方の条件が成立したときにハンドセット通話からハンズフリー通話に切替える構成であっても良く、また、これら２つの条件のうちの双方の条件が成立したときにハンドセット通話からハンズフリー通話に切替える構成であっても良い。また、ブルートゥースの通信に関与する電波の受信レベル（受信電界強度）を測定し、受信レベルに応じて点数を取得するように構成しても良い。
【００４３】
携帯電話機のディスプレイにおいて、ハンズフリー通話を行うことが可能であることを報知すべく表示メッセージは、他の表示メッセージであっても良い。ハンズフリー装置を車室内に設置されたナビゲーション装置に接続することによって、ナビゲーション装置のディスプレイにハンズフリー通話を行うことが可能であることを報知すべく表示メッセージを表示させる構成であっても良い。第２の実施の形態において、専用の接続ケーブルを用いることなく、携帯電話機にブルートゥース通信機を着脱可能な構成であっても良く、また、ハンズフリー装置にブルートゥース通信機を着脱可能な構成であっても良い。
【図面の簡単な説明】
【００４４】
【図１】本発明の第１実施例の全体の構成を概略的に示す図
【図２】フローチャート
【図３】携帯電話機のディスプレイにおける表示の一例を示す図
【図４】トリガの種類および点数を示す図
【図５】本発明の第２実施例の全体の構成を概略的に示す図
【符号の説明】
【００４５】
図面中、１は携帯電話機、２は制御部（制御手段）、３は電話通信部（電話通信手段）、４はキーパッド（操作手段）、６はマイクロホン（携帯電話機側の送話音声入力手段）、７はスピーカ（携帯電話機側の受話音声出力手段）、１０はブルートゥース通信部（近距離無線通信手段）、９はハンズフリー装置、１１は制御部（制御手段）、１２は操作スイッチ（操作手段）、１４は位置検出部（位置検出手段）、１５は車両情報認識部（車両情報認識手段）、１６は音声認識部（音声認識手段）、１７はマイクロホン（ハンズフリー装置側の送話音声入力手段）、１８はスピーカ（ハンズフリー装置側の受話音声出力手段）、２０はブルートゥース通信部（近距離無線通信手段）、２１は携帯電話機（他の電話機）、３１は携帯電話機、３２はブルートゥース通信部（近距離無線通信手段）、３４はハンズフリー装置、３５はブルートゥース通信部（近距離無線通信手段）である。
【図１】
2008295110.tif 000003
【図２】
2008295110.tif 000004
【図３】
2008295110.tif 000005
【図４】
2008295110.tif 000006
【図５】
2008295110.tif 000007